(57)【要約】【課題】従来の蛍光灯器具のソケットに取り付けられるＬＥＤを用いたＬＥＤ照明装置では部品交換等が簡単にはできなかったり、できたとしても作業性や信頼性が悪かったり、余計な部品が必要であると言った問題があった。【解決手段】本体と、蛍光灯器具のソケットに嵌合する一対のピン端子を保持したキャップと、プリント基板に実装されたＬＥＤと、ピン端子に接続するための接続端子とからなり、接続端子には基板接続バネ部とピン端子接続部とを設け、プリント基板の回路接続部に基板接続バネ部を接続し、ピン端子にピン端子接続部を接続する。【選択図】 図２
2011165528.tif 000002
【特許請求の範囲】
【請求項１】
本体（１）と、
蛍光灯器具のソケット（８）に嵌合する一対のピン端子（２）を保持し、本体（１）に接合されるキャップ（３）と、
本体（１）に内蔵され、電気制御回路を搭載したプリント基板（４）と、
プリント基板（４）に実装されたＬＥＤ（５）と、
ピン端子（２）に接続するための接続端子（６）とからなり、
接続端子（６）は基板接続バネ部（６ａ）とピン端子接続部（６ｂ）とを金属板にて一体に形成され、
プリント基板（４）の回路接続部（４ａ）に基板接続バネ部（６ａ）が接続され、
ピン端子（２）にピン端子接続部（６ｂ）が接続されることを特徴とするＬＥＤ照明装置。
【請求項２】
接続端子（６）に２個のピン端子接続部（６ｂ）を形成し、一対のピン端子（２）にそれぞれ接続することを特徴とする請求項１記載のＬＥＤ照明装置。
【請求項３】
２個の接続端子（６）を一対のピン端子（２）にそれぞれ接続し、回路接続部（４ａ）の正極（４ａ＋）と負極（４ａ−）にそれぞれに基板接続バネ部（６ａ）を接続することを特徴とする請求項１記載のＬＥＤ照明装置。
【発明の詳細な説明】
【技術分野】
【０００１】
この発明は、蛍光灯器具のソケットに取り付けられるＬＥＤ（発光ダイオード）を用いたＬＥＤ照明装置に関するものである。
【背景技術】
【０００２】
既存の蛍光灯等に代わる照明装置として、省エネ、高輝度で長寿命を実現できる白色ＬＥＤを使用したＬＥＤ照明装置が開発されている。
【先行技術文献】
【特許文献】
【０００３】
【特許文献１】特開２００１−３５１４０２号
【特許文献２】特許第４１５６６５７号
【特許文献３】実用新案登録第３１４８１７６号
【０００４】
特許文献１には既設の蛍光灯器具に簡単に取り付けられるＬＥＤ照明装置が提案されている。
【０００５】
特許文献２には組み立て作業の効率化を図ることが出来るＬＥＤ照明装置が提案されている。
【０００６】
図８は従来のＬＥＤ照明装置の内部構造を示したものである。
本体１と、既設の蛍光灯器具に取り付けができる一対のピン端子２を保持し、本体１に接合されるキャップ３と、本体１に内蔵され、電気制御回路を搭載したプリント基板４と、プリント基板４に実装された複数のＬＥＤ５と、一端がプリント基板４に接続され、他端がピン端子２に直接接続された電線７から構成され、ピン端子２と電線７とは加締めや半田付けにて接続している。
しかしながら、加締めや半田付けによる接続は作業性が悪いばかりでなく、接続後は電線の取り外しが難しく、部品交換等が簡単に出来ない構造である。
【０００７】
特許文献３にはＬＥＤ照明部及び／又はＬＥＤ自体の交換を可能とするＬＥＤ照明装置が提案されている。
【０００８】
ところで、蛍光灯器具の配線は図９に示すようにソケット８の一対の電極のうち、どちらか１極のみしか電源と接続されていない場合があるため、ピン端子２の両方ともプリント基板４と接続しておく必要がある。
その対応として、図８のようにピン端子２の両方とプリント基板４をそれぞれ２本の電線で接続している。
別の対応としては、図１０のようにプリント基板４から引き出された電線７の一端に丸形端子９ａを接続してピン端子２とネジにて接続している。なお、丸形端子９ａとは別の丸形端子９ｂはジャンパー線１０にて相互が短絡され、別のピン端子２とネジにて接続している。
【０００９】
また、蛍光灯器具にてＡＣ−ＤＣ変換を行い、ＬＥＤ照明装置には直流電流（ＤＣ）を供給するタイプも存在している。
【発明の概要】
【発明が解決しようとする課題】
【００１０】
この様に、従来の方法では部品交換等が簡単にはできなかったり、できたとしても作業性や信頼性が悪かったり、余計な部品が必要であると言った問題があった。
【課題を解決するための手段】
【００１１】
請求項１記載のＬＥＤ照明装置は、本体（１）と、蛍光灯器具のソケット（８）に嵌合する一対のピン端子（２）を保持し、本体（１）に接合されるキャップ（３）と、本体（１）に内蔵され、電気制御回路を搭載したプリント基板（４）と、プリント基板（４）に実装されたＬＥＤ（５）と、ピン端子（２）に接続するための接続端子（６）とからなり、接続端子（６）は基板接続バネ部（６ａ）とピン端子接続部（６ｂ）とを金属板にて一体に形成され、プリント基板（４）の回路接続部（４ａ）に基板接続バネ部（６ａ）が接続され、ピン端子（２）にピン端子接続部（６ｂ）が接続されることを特徴とする。
【００１２】
請求項２記載のＬＥＤ照明装置は、請求項１の発明において、接続端子（６）に２個のピン端子接続部（６ｂ）を形成し、一対のピン端子（２）にそれぞれ接続することを特徴とする。
【００１３】
請求項３記載のＬＥＤ照明装置は、請求項１の発明において、２個の接続端子（６）を一対のピン端子（２）にそれぞれ接続し、回路接続部（４ａ）の正極（４ａ＋）と負極（４ａ−）にそれぞれに基板接続バネ部（６ａ）を接続することを特徴とする。
【発明の効果】
【００１４】
請求項１の発明により、ＬＥＤ照明部及び／又はＬＥＤ自体など、部品の交換が簡単に行うことができるばかりでなく、接続端子だけでピン端子とプリント基板との接続作業を容易に行うことができる。
【００１５】
請求項２の発明により、別部品を使うことなく簡単な構造で一対のピン端子に接続端子を接続することができる。
【００１６】
請求項３の発明により、簡単な構造で直流電流を供給するタイプに対応することができる。
【図面の簡単な説明】
【００１７】
【図１】本発明のＬＥＤ照明装置の分解図
【図２】本発明のＬＥＤ照明装置の断面図
【図３】キャップ３の断面図
【図４】キャップ３の内部斜視図
【図５】接続端子６の斜視図
【図６】他の実施例に於けるキャップ３の内部斜視図と接続端子６の斜視図
【図７】他の実施例に於けるＬＥＤ照明装置の分解図
【図８】従来のＬＥＤ照明装置の分解断面図
【図９】蛍光灯器具の配線図
【図１０】従来のＬＥＤ照明装置の結線図
【発明を実施するための形態】
【００１８】
図１と図２に示すように、本発明のＬＥＤ照明装置は、本体１と、蛍光灯器具のソケット８に嵌合する一対のピン端子２を保持し、本体１に接合されるキャップ３と、本体１に内蔵され、電気制御回路を搭載したプリント基板４と、プリント基板４に実装されたＬＥＤ５と、ピン端子２に接続するための接続端子６とからなる。
【実施例１】
【００１９】
本体１は、透明又は半透明な樹脂（例えばポリカーボネート樹脂）でできた光拡散部１ａと、アルミ合金などによる放熱部１ｂが組み合わされてできており、円筒状であるが、放熱部１ｂは凹凸形状のヒートシンクにする場合もある。
なお、本体１は必ずしもこの組み合わせである必要はなく、樹脂のみでできていてもよい。
【００２０】
銅合金製のピン端子２を既設の蛍光灯器具に合う寸法にて取り付けたキャップ３は、本体１の両端に接合されるが、内部のメンテナンスのために本体１から取り外しできる構造になっている。
図３には一対のピン端子２を絶縁性樹脂で一体成形したキャップ３が示されているが、ピン端子２はキャップ３に圧入や加締めにて取り付けてもよい。
また図４に示す通り、キャップ３の内側には接続端子６を組み付ける受け溝３ｂと、接続端子６の基板接続バネ部６ａと接続するプリント基板４の回路接続部４ａが挿入される基板挿入溝３ａが形成されている。
なお、キャップ３の材料は絶縁性樹脂に限らず金属を使用しても構わないが、感電を避けるためにピン端子２とキャップ３は電気的に絶縁されている。
【００２１】
プリント基板４には、接続端子６の基板接続バネ部６ａと接続する回路接続部４ａが形成され、整流や電圧制御等を行う電気制御回路（図は省略）と複数のＬＥＤ５が実装されている。
回路接続部４ａはプリント配線された回路の電極である。
このプリント基板４は本体１に内蔵保持される。
なお、ＬＥＤ５は表面実装型の白色ＬＥＤを使用するが、砲弾型ＬＥＤを使用してもよい。また、ＬＥＤ５の数は照明の仕様により決められる。
【００２２】
接続端子６は銅合金をプレス加工して作られ、図５に示す通り、基板接続バネ部６ａと、ピン端子接続部６ｂと、基部６ｃで構成されている。
基部６ｃには圧入部が設けられ、キャップ３の受け溝３ｂに圧入固定される。
基部６ｃの一端から延出したピン端子接続部６ｂは２カ所に設けられ、一対のピン端子２を挿入接続できるようになっている。なお、ピン端子接続部６ｂは菊座金状であり、ピン端子２との接続を強固にするために内側に多数の歯が設けられている。
基部６ｃの他端にはキャップ３に固定された際に基板挿入溝３ａに突出するように基板接続バネ部６ａが断面Ｕ字状に形成されている。従って、基板挿入溝３ａに回路接続部４ａが挿入された時に基板接続バネ部６ａが撓むことで回路接続部４ａに接触して電気的に接続する。
【実施例２】
【００２３】
実施例２は、蛍光灯器具にてＡＣ−ＤＣ変換を行い、ＬＥＤ照明装置には直流電流（ＤＣ）を供給するタイプに対応する発明である。
以下、実施例１と異なる構成について図６と図７を使って説明する
【００２４】
プリント基板４の回路接続部４ａは正極４ａ＋と負極４ａ−が形成されている。
接続端子６は、正極４ａ＋と負極４ａ−にそれぞれ接続するために、本体１の片方のキャップ３に２個の接続端子６が使用される。
そして、本体１の反対側のキャップに設けられたピン端子は電気的に作用することはなく、いわゆるダミーである。
【００２５】
実施例２の接続端子６は基板接続バネ部６ａと、ピン端子接続部６ｂと、基部６ｃで構成されている。
基部６ｃには圧入部が設けられ、キャップ３の受け溝３ｂに圧入固定される。
基部６ｃの一端から延出したピン端子接続部６ｂはピン端子２を挿入接続できるようになっている。なお、ピン端子接続部６ｂは菊座金状であり、ピン端子２との接続を強固にするために内側に多数の歯が設けられている。
基部６ｃの他端にはキャップ３に固定された際に基板挿入溝３ａに突出するように基板接続バネ部６ａが断面Ｕ字状に形成されている。従って、基板挿入溝３ａに回路接続部４ａが挿入された時に基板接続バネ部６ａが撓むことで回路接続部４ａに接触して電気的に接続する。
【産業上の利用可能性】
【００２６】
この発明は、蛍光灯器具のソケットに取り付けられるＬＥＤ（発光ダイオード）を用いたＬＥＤ照明装に関するものである。
【符号の説明】
【００２７】
１  本体
２  ピン端子
３  キャップ
４  プリント基板
５  ＬＥＤ
６  接続端子
【図１】
2011165528.tif 000003
【図２】
2011165528.tif 000004
【図３】
2011165528.tif 000005
【図４】
2011165528.tif 000006
【図５】
2011165528.tif 000007
【図６】
2011165528.tif 000008
【図７】
2011165528.tif 000009
【図８】
2011165528.tif 000010
【図９】
2011165528.tif 000011
【図１０】
2011165528.tif 000012